(57)【要約】【課題】  操作リングを回動操作した際における敏感度を低くし、操作に慣れていない人などであっても、正確な調整により最適な高画質撮影等を確実に行えるようにするとともに、サイズアップの回避及び低コスト化を実現する。【解決手段】  レンズ鏡筒Ｃに設けた操作リングの回動操作により調整対象となるレンズＬ１，Ｌ２を光軸方向Ｆｃへ変位させるレンズ調整機構部を備えるレンズ装置１を構成するに際して、少なくとも２７０°以上の回動角度範囲Ｚｓにわたって回動可能に支持された操作リング２と、この操作リング２の回動変位を少なくとも光軸方向Ｆｃへの変位に変換するとともに、変位量を所定の比率により変換する第一運動変換機構部３と、この第一運動変換機構部３により変換された変位を、レンズＬ１，Ｌ２を光軸方向Ｆｃへ変位させるカム筒部５の回動変位に変換する第二運動変換機構部４とを有してなるレンズ調整機構部Ｍを備える。【選択図】  図１
2020086057.tif 000002
【特許請求の範囲】
【請求項１】
レンズ鏡筒に設けた操作リングの回動操作により調整対象となるレンズを光軸方向へ変位させるレンズ調整機構部を備えるレンズ装置において、少なくとも２７０°以上の回動角度範囲にわたって回動可能に支持された操作リングと、この操作リングの回動変位を少なくとも光軸方向への変位に変換するとともに、変位量を所定の比率により変換する第一運動変換機構部と、この第一運動変換機構部により変換された変位を、前記レンズを光軸方向へ変位させるカム筒部の回動変位に変換する第二運動変換機構部とを有してなるレンズ調整機構部を備えることを特徴とするレンズ装置。
【請求項２】
前記レンズ調整機構部は、フォーカス調整機構に適用してなることを特徴とする請求項１記載のレンズ装置。
【請求項３】
前記操作リングは、回動角度範囲を３６０°以上に設定し、かつ前記カム筒部の回動角度範囲を１８０°以下に設定することを特徴とする請求項１又は２記載のレンズ装置。
【請求項４】
前記第一運動変換機構部は、前記レンズ鏡筒における固定筒の外周面に対して第一ヘリコイド結合部を介して内周面が噛合する第一内筒部及びこの第一内筒部に対して回動変位を許容可能に結合した第二内筒部を備え、前記第一内筒部を、前記操作リングに対して光軸方向へ変位を許容可能に係合し、かつ前記第二内筒部の変位を、前記第二運動変換機構部に伝達可能に構成することを特徴とする請求項１記載のレンズ装置。
【請求項５】
前記第二運動変換機構部は、前記カム筒部に形成した周方向へ所定角度で傾斜した少なくとも一つのガイドスリット部と、前記第二内筒部の外周面に設け、かつ前記ガイドスリット部に対して光軸方向へ変位を許容可能に係合する従動子により構成することを特徴とする請求項１記載のレンズ装置。
【請求項６】
前記レンズ調整機構部は、前記第一内筒部を、アウタ筒部とこのアウタ筒部に対して所定の隙間を介して結合したインナ筒部により構成し、前記アウタ筒部と前記インナ筒部の間に、中間筒部を配することにより、この中間筒部を前記第一内筒部に対して第二ヘリコイド結合部を介して噛合させ、かつこの中間筒部を前記第二内筒部に対して光軸方向の変位を許容可能に係合させることにより、この中間筒部に支持されるレンズを変位させる補助レンズ調整機構部を備えることを特徴とする請求項４記載のレンズ装置。
【請求項７】
前記レンズ調整機構部は、前記カム筒部の回動角度範囲を規制する回動範囲規制部を備えることを特徴とする請求項１記載のレンズ装置。
【発明の詳細な説明】
【技術分野】
【０００１】
本発明は、レンズ鏡筒に設けた操作リングの回動操作により調整対象となるレンズを光軸方向へ変位させるレンズ調整機構部を備えるレンズ装置に関する。
【背景技術】
【０００２】
一般に、カメラに装着するレンズ装置は、レンズ鏡筒に設けたフォーカス調整リング（操作リング）の回動操作によりフォーカスレンズ群を光軸方向へ変位させてフォーカス調整を行うレンズ調整機構部を備えており、この種のレンズ調整機構部を備えるレンズ装置としては、特許文献１により開示される交換レンズ及び特許文献２により開示されるレンズ装置が知られている。
【０００３】
同文献１の交換レンズは、カメラボディに対する正確なフランジバック長の設定及び距離指標の正確な設定を可能にするとともに、容易かつ低コストに実現することを目的としたものであり、具体的には、フォーカス調整機構部における調整範囲を、基準となる無限遠位置から、最近接側に対する反対方向に、所定の範囲だけ拡大させて構成するとともに、フォーカスリングを、フォーカスリング本体部，このフォーカスリング本体部に対して別体に形成した距離指標表示部，及びこの距離指標表示部をフォーカスリング本体部に対して周方向ヘ相対変位可能又は固定可能にする指標位置調整機構部により構成したものである。
【０００４】
また、同文献２のレンズ装置は、操作リングの良好な操作性を確保し、同時に、ヘリコイド結合部の有効なガタ防止を図るとともに、実施の容易性，低コスト性，汎用性を確保することを目的としたものであり、具体的には、レンズ鏡筒の固定筒に回動変位可能に配した操作リングと、レンズ枠によリ一又は二以上のレンズを保持してなるレンズユニットと、操作リングの回動変位を運動変換してレンズユニットを光軸方向ヘ変位させるヘリコイド結合部とを有するレンズ操作機構を具備してなり、特に、固定筒又はレンズ枠の一方に固定ネジにより固定可能であって、かつ光軸方向に対する直角面を有する規制プレートと、固定筒又はレンズ枠の他方に固定し、かつ光軸方向に軸心を有するとともに、規制プレートに係合して位置が規制される係合シャフトとを有する位置規制機構部を設けて構成したものである。
【先行技術文献】
【特許文献】
【０００５】
【特許文献１】特開２０１７−１２０３１７号公報
【特許文献２】特開２０１５−２１９３８５号公報
【発明の概要】
【発明が解決しようとする課題】
【０００６】
しかし、上述した特許文献１及び２のレンズ装置をはじめ、従来のレンズ装置は、次のような問題点があった。
【０００７】
第一に、フォーカス調整リングの場合、操作できる回動角度範囲はほとんどが１００゜以内、最大でも１８０゜程度である。このため、操作時の敏感度が高くなる傾向があり、僅かな操作量でもピント位置が大きくズレてしまう。したがって、操作に慣れている人はよいが、操作に慣れていない人やあまり操作に関して器用でない人には、ピント合わせが容易でない。結局、一部の人にとっては、正確なピント合せにより最適な高画質撮影を行いにくい難点があった。
【０００８】
第二に、フォーカス調整機構は、フォーカス調整リングの回動変位が伝達されるカム筒部に形成したガイドスリットに係合する従動子の光軸方向への変位によりレンズの位置を調整するため、ガイドスリットの長さは、カム筒部の長さや形態等に制約される。したがって、回動角度範囲を大きくするには構造的な限界もあり、構造面から操作できる回動角度範囲を大きくすることができないとともに、大きくする場合には、レンズ装置全体のサイズアップやコストアップを招く難点があった。
【０００９】
本発明は、このような背景技術に存在する課題を解決したレンズ装置の提供を目的とするものである。
【課題を解決するための手段】
【００１０】
本発明は、上述した課題を解決するため、レンズ鏡筒Ｃに設けた操作リングの回動操作により調整対象となるレンズＬ１，Ｌ２を光軸方向Ｆｃへ変位させるレンズ調整機構部を備えるレンズ装置１を構成するに際して、少なくとも２７０°以上の回動角度範囲Ｚｓにわたって回動可能に支持された操作リング２と、この操作リング２の回動変位を少なくとも光軸方向Ｆｃへの変位に変換するとともに、変位量を所定の比率により変換する第一運動変換機構部３と、この第一運動変換機構部３により変換された変位を、レンズＬ１，Ｌ２を光軸方向Ｆｃへ変位させるカム筒部５の回動変位に変換する第二運動変換機構部４とを有してなるレンズ調整機構部Ｍを備えることを特徴とする。
【００１１】
この場合、発明の好適な態様により、レンズ調整機構部Ｍは、フォーカス調整機構Ｍｆに適用できるとともに、操作リング２は、回動角度範囲Ｚｓを３６０°以上に設定し、かつカム筒部５の回動角度範囲Ｚｃを１８０°以下に設定することができる。一方、第一運動変換機構部３は、レンズ鏡筒Ｃにおける固定筒１１の外周面１１ｆに対して第一ヘリコイド結合部１３を介して内周面１２ｉが噛合する第一内筒部１２及びこの第一内筒部１２に対して回動変位を許容可能に結合した第二内筒部１４を備え、第一内筒部１２を、操作リング２に対して光軸方向Ｆｃへ変位を許容可能に係合し、かつ第二内筒部１４の変位を、第二運動変換機構部４に伝達可能に構成することができる。また、第二運動変換機構部４は、カム筒部５に形成した周方向Ｆｆへ所定角度Ｑｓで傾斜した少なくとも一つのガイドスリット部１５…と、第二内筒部１４の外周面１４ｆに設け、かつガイドスリット部１５…に対して光軸方向Ｆｃへ変位を許容可能に係合する従動子１６…により構成することができる。他方、レンズ調整機構部Ｍには、第一内筒部１２を、アウタ筒部２１とこのアウタ筒部２１に対して所定の隙間を介して結合したインナ筒部２２により構成し、アウタ筒部２１とインナ筒部２２の間に、中間筒部２３を配することにより、この中間筒部２３を第一内筒部１２に対して第二ヘリコイド結合部２４を介して噛合させ、かつこの中間筒部２３を第二内筒部１４に対して光軸方向Ｆｃの変位を許容可能に係合させることにより、この中間筒部２３に支持されるレンズＬ３を変位させる補助レンズ調整機構部２５を設けることができる。さらに、レンズ調整機構部Ｍには、カム筒部５の回動角度範囲Ｚｃを規制する回動範囲規制部２６を設けることができる。
【発明の効果】
【００１２】
このような構成を有する本発明に係るレンズ装置１によれば、次のような顕著な効果を奏する。
【００１３】
（１）  少なくとも２７０°以上の回動角度範囲Ｚｓにわたって回動可能に設けた操作リング２を備えるため、操作リング２を回動操作した際における敏感度を低くすることができる。即ち、目的の調整位置に合わせる際の操作を緩やかに行うことが可能になり、精度の高い調整を容易に行うことができる。これにより、操作に慣れていない人や操作を器用にできない人などであっても、正確に調整されたレンズ装置１により最適な高画質撮影等をより確実に行うことができる。
【００１４】
（２）  操作リング２の回動変位を少なくとも光軸方向Ｆｃへの変位に変換するとともに、変位量を所定の比率により変換する第一運動変換機構部３と、この第一運動変換機構部３により変換された変位を、レンズＬ１，Ｌ２を光軸方向Ｆｃへ変位させるカム筒部５の回動変位に変換する第二運動変換機構部４とを有してなるレンズ調整機構部Ｍを備えるため、操作リング２の回動角度範囲をカム筒部５の長さや形態等に制約されることなく、任意の範囲に設定できる。加えて、構造面からの制約を排除できるため、構成の複雑化及びサイズアップを容易に回避できるとともに、低コスト化にも寄与できる。
【００１５】
（３）  好適な態様により、レンズ調整機構部Ｍを、フォーカス調整機構Ｍｆに適用すれば、操作時の敏感度が最も大きく影響を受けるレンズ調整に適用できるため、適用対象の観点から最適な形態により実施できる。これにより、操作に慣れていない人や操作を器用にできない人などであっても、ピントの合った高画質の写真撮影等を容易に行うことができる。
【００１６】
（４）  好適な態様により、操作リング２の回動角度範囲Ｚｓを３６０°以上に設定し、かつカム筒部５の回動角度範囲Ｚｃを１８０°以下に設定すれば、カム筒部５の回動角度範囲Ｚｃを従来のレンズ装置と同等に設定できるとともに、操作リング２の回動角度範囲Ｚｓを従来のレンズ装置に対して、少なくとも２倍以上に設定できるため、操作時の敏感度を緩やかさに設定する観点から最適な形態として実施できる。
【００１７】
（５）  好適な態様により、第一運動変換機構部３を構成するに際し、レンズ鏡筒Ｃにおける固定筒１１の外周面１１ｆに対して第一ヘリコイド結合部１３を介して内周面１２ｉが噛合する第一内筒部１２及びこの第一内筒部１２に対して回動変位を許容可能に結合した第二内筒部１４を設け、第一内筒部１２を、操作リング２に対して光軸方向Ｆｃへ変位を許容可能に係合し、かつ第二内筒部１４の変位を、第二運動変換機構部４に伝達可能に構成すれば、合理的機構を構築する観点から好適な形態として実施可能になるため、機構の非大型化及び低コスト化を図る観点からの有効性も高めることができる。
【００１８】
（６）  好適な態様により、第二運動変換機構部４を構成するに際し、カム筒部５に形成した周方向Ｆｆへ所定角度Ｑｓで傾斜した少なくとも一つのガイドスリット部１５…と、第二内筒部１４の外周面１４ｆに設け、かつガイドスリット部１５…に対して光軸方向Ｆｃへ変位を許容可能に係合する従動子１６…により構成すれば、従来の構造、即ち、本来的に必要な構成部品であるカム筒部５を直接利用できるため、部品点数の削減及び構造の簡略化により、更なる機構の非大型化及び低コスト化に寄与できる。
【００１９】
（７）  好適な態様により、レンズ調整機構部Ｍに、第一内筒部１２を、アウタ筒部２１とこのアウタ筒部２１に対して所定の隙間を介して結合したインナ筒部２２により構成し、アウタ筒部２１とインナ筒部２２の間に、中間筒部２３を配することにより、この中間筒部２３を第一内筒部１２に対して第二ヘリコイド結合部２４を介して噛合させ、かつこの中間筒部２３を第二内筒部１４に対して光軸方向Ｆｃの変位を許容可能に係合させることにより、この中間筒部２３に支持されるレンズＬ３を変位させる補助レンズ調整機構部２５を設ければ、補助的な調整機構となる補助レンズ調整機構部２５を追加できるため、調整機構全体の柔軟性及び機能性の向上に寄与できる。
【００２０】
（８）  好適な態様により、レンズ調整機構部Ｍに、カム筒部５の回動角度範囲Ｚｃを規制する回動範囲規制部２６を設ければ、カム筒部５の回動を利用した回動範囲規制部２６を構成できるため、部品点数の削減及び構造の簡略化により、更なる機構の非大型化及び低コスト化に寄与できるとともに、操作リング２に対する回動角度範囲Ｚｓの規制を兼用できる。
【図面の簡単な説明】
【００２１】
【図１】本発明の好適実施形態に係るレンズ装置の要部構造を抽出した異なる二つの態様を示す断面側面図、
【図２】同レンズ装置の一部を省略した全体の概要を示す断面側面図、
【図３】同レンズ装置に備えるカム筒部の正面図、
【図４】同レンズ装置の図３中Ａ−Ａ線断面図、
【図５】同レンズ装置に備えるカム筒部の展開図、
【図６】同レンズ装置の外観側面図、
【図７】同レンズ装置の作用説明図、
【発明を実施するための形態】
【００２２】
次に、本発明に係る好適実施形態を挙げ、図面に基づき詳細に説明する。
【００２３】
まず、本実施形態に係るレンズ装置１の構成について、図１〜図６を参照して具体的に説明する。
【００２４】
例示のレンズ装置１は、スチルカメラのカメラボディ（不図示）に対して着脱する交換レンズである。このレンズ装置１は、一部を仮想線で描いた全体の概要を示す図２のように、後で詳述するレンズ鏡筒Ｃを備え、このレンズ鏡筒Ｃの内部に、操作リング２の回動操作により調整対象となる仮想線で示すレンズ（レンズ群）Ｌ１，Ｌ２、更にはレンズ（レンズ群）Ｌ３を内蔵する。なお、各レンズＬ１，Ｌ２，Ｌ３は、模式的に描いたものであり、光学的に正確なレンズを示すものではない。
【００２５】
そして、このレンズ装置１には、各レンズＬ１，Ｌ２，ｌ３を光軸方向Ｆｃへ変位させる本発明の要部を構成するレンズ調整機構部Ｍを備える。本実施形態におけるレンズ調整機構部Ｍは、フォーカス調整機構Ｍｆを構成する。このように、レンズ調整機構部Ｍをフォーカス調整機構Ｍｆに適用すれば、操作時の敏感度が最も大きく影響を受けるレンズ調整に適用できるため、適用対象の観点から最適な形態により実施できる。これにより、操作に慣れていない人や操作を器用にできない人などであっても、ピントの合った高画質の写真撮影等を容易に行うことができる。なお、レンズＬ１，Ｌ２，Ｌ３は、それぞれ仮想線で示すレンズ保持枠３１ｓ，３２ｓ，３３により保持されるとともに、このレンズ保持枠３１ｓ，３２ｓ，３３は、光軸方向Ｆｃへスライド変位自在に支持される。
【００２６】
レンズ調整機構部Ｍは、レンズ鏡筒Ｃの最外周位置に操作リング（フォーカス調整リング）２を備える。この操作リング２は、少なくとも２７０°以上の回動角度範囲Ｚｓにわたって回動可能に構成する。この回動角度範囲Ｚｓは、より望ましくは３６０°以上に設定する。本実施形態の場合、操作リング２自体は、規制されることなく、３６０°以上にわたって回動可能となるが、後述するカム筒部５に設けた回動範囲規制部２６により、回動角度範囲Ｚｓが４７５゜に規制される。
【００２７】
また、１１は固定筒であり、この固定筒１１の内側には、前後に配したレンズ保持枠３１ｓ，３２ｓを変位させるカム筒部５を配する。図３〜図５に、カム筒部５を具体的に示す。図３はカム筒部５の正面図、図４は図３中Ａ−Ａ線断面図、図５はカム筒部５の展開図をそれぞれ示している。
【００２８】
この場合、図２に示すように、前側のレンズ保持枠３１ｓの外周面における周方向Ｆｆには等間隔で配したローラ形式による３つの従動子３１…を設けるとともに、後側のレンズ保持枠３２ｓの外周面における周方向Ｆｆには等間隔で配したローラ形式による３つの従動子３２…を設ける。そして、図５（図３及び図４）に示すように、前側の従動子３１…は、カム筒部５に貫通形成した３つの第一ガイドスリット３４…を通して、固定筒１１に形成した光軸方向Ｆｃの３つのリニアスリット３６…に係合させるとともに、後側の従動子３２…は、カム筒部５に貫通形成した３つの第二ガイドスリット３５…を通して、固定筒１１に形成した上記３つのリニアスリット３６…に係合させる。これにより、各従動子３１…，３２…は、各ガイドスリット３４…，３５…に係合してガイドされる。
【００２９】
この際、各ガイドスリット３４（他のガイドスリット３４…，３５…も同じ）の一端３４ｆと他端３４ｅの有効長、即ち、回動角度範囲は、図５に示すＺｃとなり、本実施形態では、この回動角度範囲Ｚｃを、５０゜に設定した。したがって、本実施形態では、前述したように、操作リング２の回動角度範囲Ｚｓは、４７５゜（３６０°以上）に設定するとともに、カム筒部５の回動角度範囲Ｚｃは、５０゜（１８０°以下）に設定することになる。
【００３０】
このように、操作リング２の回動角度範囲Ｚｓを３６０°以上に設定し、かつカム筒部５の回動角度範囲Ｚｃを１８０°以下に設定すれば、カム筒部５の回動角度範囲Ｚｃを従来のレンズ装置と同等に設定できるとともに、操作リング２の回動角度範囲Ｚｓを従来のレンズ装置に対して、少なくとも２倍以上に設定できるため、操作時の敏感度を緩やかさに設定する観点から最適な形態として実施できる利点がある。特に、本実施形態では、操作リング２の回動角度範囲Ｚｓを４７５°に設定したため、従来の操作リング２の回動角度範囲Ｚｓが１００゜の場合、操作リング２の操作時敏感度を、従来に比べて、１／５程度までに低下させることができる。
【００３１】
一方、操作リング２とカム筒部５間には、図１及び図２に示す第一運動変換機構部３と第二運動変換機構部４を配設する。したがって、本実施形態に係るレンズ調整機構部Ｍは、操作リング２を、４７５゜回動変位させれば、この回動変位は、第一運動変換機構部３と第二運動変換機構部４を介してカム筒部５に伝達され、カム筒部５は５０゜にわたって回動変位する。
【００３２】
第一運動変換機構部３は、操作リング２の回動変位を少なくとも光軸方向Ｆｃへの変位に変換するとともに、変位量を所定の比率により変換する機能を備える。このため、第一運動変換機構部３は、レンズ鏡筒Ｃにおける固定筒１１の外周面１１ｆに対して第一ヘリコイド結合部１３を介して内周面１２ｉが噛合する第一内筒部１２及びこの第一内筒部１２に対して回動変位を許容可能に結合した第二内筒部１４を備え、第一内筒部１２は、操作リング２に対して光軸方向Ｆｃへ変位を許容可能に係合し、かつ第二内筒部１４の変位を、第二運動変換機構部４に伝達可能に構成する。
【００３３】
この場合、第一内筒部１２は、図１に示すように、アウタ筒部２１とこのアウタ筒部２１に対して所定の隙間を介して結合したインナ筒部２２により構成する。この際、アウタ筒部２１とインナ筒部２２は、後端部同士をリング状となる結合部４２により結合し、前端が開口する隙間を形成する。第一内筒部１２をこのように構成すれば、アウタ筒部２１とインナ筒部２２間の隙間を利用して筒体部品を追加可能になるため、光学的性能を高めるための追加的な調整機構を付加することができ、本実施形態では、後述する補助レンズ調整機構部２５を設けている。
【００３４】
また、操作リング２は、図１に示すように、内周面に、光軸方向Ｆｃのリニアスリット４１…を形成し、第一内筒部１２（アウタ筒部２１）の外周面に取付けたローラ形式による従動子１２ｓ…を係合させるとともに、第一内筒部１２（インナ筒部２２）と第二内筒部１４の前端部同士は、光軸方向Ｆｃの相対変位が規制され、かつ相対的な回動変位のみが許容される係合部４３を介して結合する。そして、第二内筒部１４の後端部の変位が第二運動変換機構部４に伝達される。このように構成すれば、合理的機構を構築する観点から好適な形態として実施可能になるため、機構の非大型化及び低コスト化を図る観点からの有効性も高めることができる。
【００３５】
他方、第二運動変換機構部４は、第一運動変換機構部３により変換された変位を、レンズＬ１，Ｌ２を光軸方向Ｆｃへ変位させるカム筒部５の回動変位に変換する機能を備える。このため、第二運動変換機構部４は、図５に示すように、カム筒部５に形成した周方向Ｆｆへ所定角度Ｑｓで傾斜した少なくとも一つのガイドスリット部１５…と、第一運動変換機構部３における第二内筒部１４の外周面１４ｆに設け、かつガイドスリット部１５…に対して光軸方向Ｆｃへ変位を許容可能に係合する従動子１６…により構成する。
【００３６】
本実施形態では、図５に示すように、ガイドスリット３４…，３５…を形成しない空エリアを利用して２つのガイドスリット部１５，１５を貫通形成した。そして、第二内筒部１４の外周面１４ｆに、ローラ形式による２つの従動子１６…を設け、各従動子１６…を、それぞれガイドスリット部１５…を通し、固定筒１１に形成した光軸方向Ｆｃにおける２つのリニアスリット部４４…に係合させて構成した。
【００３７】
この際、ガイドスリット部１５の一端１５ｆと他端１５ｅの有効長、即ち、回動角度範囲は、図５に示すＺｓとなり、各ガイドスリット３４…，３５…における回動角度範囲Ｚｃ（例示は、５０゜）に一致させる。このように構成すれば、従来の構造、即ち、本来的に必要な構成部品であるカム筒部５を直接利用できるため、部品点数の削減及び構造の簡略化により、更なる機構の非大型化及び低コスト化に寄与できる。
【００３８】
さらに、レンズ調整機構部Ｍには、カム筒部５の回動角度範囲Ｚｃを規制する回動範囲規制部２６を設ける。この場合、図５に示すように、カム筒部５の周方向Ｆｆに規制スリット部４５を形成するとともに、固定筒１１側に、この規制スリット部４５に係合するローラ形式による従動子４６を設ける。また、規制スリット部４５の一端４５ｆと他端４５ｅの有効長、即ち、回動角度範囲は、図５に示すＺｍとなり、各ガイドスリット３４…，３５…における回動角度範囲Ｚｃ（例示は、５０゜）に一致させる。
【００３９】
このような回動範囲規制部２６を設ければ、カム筒部５の回動を利用した回動範囲規制部２６を構成できるため、部品点数の削減及び構造の簡略化により、更なる機構の非大型化及び低コスト化に寄与できるとともに、操作リング２に対する回動角度範囲Ｚｓの規制を兼用できる。なお、例示する規制スリット部４５は、両端側にオフセットするクランク形状部を設けている。これにより、規制スリット部４５の両端位置において従動子４６をクリック的に停止させることができる。
【００４０】
他方、レンズ調整機構部Ｍには、アウタ筒部２１とインナ筒部２２の間に、中間筒部２３を配することにより、この中間筒部２３の内周面２３ｉをインナ筒部２２（第一内筒部１２）の外周面２２ｆに対して第二ヘリコイド結合部２４を介して噛合させ、かつこの中間筒部２３を第二内筒部１４に対して光軸方向Ｆｃの変位を許容可能に係合させることにより、この中間筒部２３に支持されるレンズＬ３を変位させる補助レンズ調整機構部２５を設ける。このため、中間筒部２３の前端部には、レンズ保持枠３３を一体に有する補助筒部４７の前端部を結合するとともに、この補助筒部４７の外周面における後端部に取付けたローラ形式による従動子４８を、第二内筒部１４に形成した光軸方向Ｆｃに沿ったリニアスリット部４９に係合させる。このような補助レンズ調整機構部２５を設ければ、補助的な調整機構となる補助レンズ調整機構部２５を追加できるため、調整機構全体の柔軟性及び機能性の向上に寄与できる。
【００４１】
次に、本実施形態に係るレンズ装置１の使用方法を含む機能について、図１〜図７を参照して具体的に説明する。
【００４２】
今、操作リング（例示は、フォーカス調整リング）２を、図１（ａ）に示す始点位置（図７中の０位置）から終点位置まで、４７５゜（図７）にわたって回動操作する場合を想定する。この場合、まず、操作リング２の回動変位は、第一運動変換機構部３に伝達される。この際、操作リング２の回動変位は、第一内筒部１２（アウタ筒部２１）に伝達されるため、この回動変位は、一体のインナ筒部２２に伝達される。インナ筒部２２は、固定筒１１に対して、第一ヘリコイド結合部１３を介して噛合するため、操作リング２と一緒に回動変位する第一内筒部１２は、光軸方向Ｆｃに変位する。即ち、第一内筒部１２（アウタ筒部２１）の従動子１２ｓ…は、光軸方向Ｆｃのリニアスリット４１…にガイドされ、第一内筒部１２は、操作リング２に追従して回動変位するとともに、光軸方向Ｆｃに変位する。
【００４３】
一方、第二内筒部１４は、係合部４３が介在することにより、第一内筒部１２（インナ筒部２２）に対しては、光軸方向Ｆｃの変位が規制され、かつ回動変位が許容されるとともに、さらに、従動子１６…を介して固定筒１１のリニアスリット部４４…に係合するため、第一内筒部１２の回動変位は係合部４３により吸収され、光軸方向Ｆｃにおける変位のみが第二内筒部１４に伝達される。
【００４４】
そして、第二内筒部１４の後部における光軸方向Ｆｃの変位は、第二運動変換機構部４に伝達される。即ち、第二内筒部１４の従動子１６…は、固定筒１１のリニアスリット部４４…に沿って、光軸方向Ｆｃに変位するため、この従動子１６…に係合する傾斜したガイドスリット部１５…によりカム筒部５が回動変位する。この場合、操作リング２を始点位置から終点位置まで、４７５゜の回動角度範囲Ｚｓにわたって回動変位させれば、前述したように、カム筒部５は、５０゜にわたって回動変位する。カム筒部５の回動角度範囲Ｚｃを、操作リング２の回動角度範囲Ｚｓと対比して図７に示す。
【００４５】
また、カム筒部５には、ガイドスリット３４…，３５…が形成され、このガイドスリット３４…，３５…には、レンズ保持枠３１，３２に取付けた従動子３１…，３２…が係合してガイドされるため、このレンズ保持枠３１，３２にそれぞれ保持されるレンズＬ１，Ｌ２は、ガイドスリット３４…，３５…のガイド形状に沿って変位する。即ち、目的のフォーカス調整が行われる。なお、図１（ｂ）に示すように、中間筒部２３は、第二ヘリコイド結合部２４を介してインナ筒部２２の外周面２２ｆに噛合しているため、第一内筒部１２が光軸方向Ｆｃの前方へ変位した際には、対応して前方に変位することになる。
【００４６】
このように、本実施形態に係るレンズ装置１によれば、基本構成として、少なくとも２７０°以上の回動角度範囲Ｚｓにわたって回動可能に支持された操作リング２と、この操作リング２の回動変位を少なくとも光軸方向Ｆｃへの変位に変換するとともに、変位量を所定の比率により変換する第一運動変換機構部３と、この第一運動変換機構部３により変換された変位を、レンズＬ１，Ｌ２を光軸方向Ｆｃへ変位させるカム筒部５の回動変位に変換する第二運動変換機構部４とを有してなるレンズ調整機構部Ｍを備えるため、操作リング２を回動操作した際における敏感度を低くすることができる。即ち、目的の調整位置に合わせる際の操作を緩やかに行うことが可能になり、精度の高い調整を容易に行うことができる。これにより、操作に慣れていない人や操作を器用にできない人などであっても、正確に調整されたレンズ装置１により最適な高画質撮影等をより確実に行うことができる。しかも、操作リング２の回動角度範囲をカム筒部５の長さや形態等に制約されることなく、任意の範囲に設定できる。加えて、構造面からの制約を排除できるため、構成の複雑化及びサイズアップを容易に回避できるとともに、低コスト化にも寄与できる。
【００４７】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４８】
例えば、レンズＬ１，Ｌ２，Ｌ３には、単レンズ，複合レンズ，レンズ群等の一又は二以上のレンズを含む各種レンズ（レンズ群）が含まれる。また、回動角度範囲Ｚｓ及びＺｃは、例示の回動角度範囲に限定されるものではなく、要旨を逸脱しない任意の数値を選定できる。さらに、レンズ調整機構部Ｍは、フォーカス調整機構Ｍｆを例示したが、ズーミング調整機構等の他のレンズ調整機構部にも同様に適用できる。
【００４９】
一方、第一運動変換機構部３を構成するに際し、レンズ鏡筒Ｃにおける固定筒１１の外周面１１ｆに対して第一ヘリコイド結合部１３を介して内周面１２ｉが噛合する第一内筒部１２及びこの第一内筒部１２に対して回動変位を許容可能に結合した第二内筒部１４を備え、第一内筒部１２を、操作リング２に対して光軸方向Ｆｃへ変位を許容可能に係合し、かつ第二内筒部１４の変位を、第二運動変換機構部４に伝達可能に構成する形態を示したが、同一の機能を有する他の構成により置換可能である。同様に、第二運動変換機構部４を構成するに際し、カム筒部５に形成した周方向Ｆｆへ所定角度Ｑｓで傾斜した少なくとも一つのガイドスリット部１５…と、第二内筒部１４の外周面１４ｆに設け、かつガイドスリット部１５…に対して光軸方向Ｆｃへ変位を許容可能に係合する従動子１６…により構成する形態を示したが、同一の機能を有する他の構成により置換可能である。
【００５０】
他方、第一内筒部１２は、アウタ筒部２１とこのアウタ筒部２１に対して所定の隙間を介して結合したインナ筒部２２により構成する場合を示したが、必ずしも必須の構成となるものではない。したがって、アウタ筒部２１とインナ筒部２２の間に、中間筒部２３を配することにより、この中間筒部２３を第一内筒部１２に対して第二ヘリコイド結合部２４を介して噛合させ、かつこの中間筒部２３を第二内筒部１４に対して光軸方向Ｆｃの変位を許容可能に係合させることにより、この中間筒部２３に支持されるレンズＬ３を変位させる補助レンズ調整機構部２５を設けた形態を例示したが、補助レンズ調整機構部２５も、必ずしも必須の構成となるものではない。なお、例示の場合、中間筒部２３の内周面２３ｉがインナ筒部２２の外周面２２ｆに噛合する第二ヘリコイド結合部２４を例示したが、中間筒部２３の外周面がアウタ筒部２２の内周面に噛合する第二ヘリコイド結合部２４であってもよいなど、レンズ装置１における各部の係合機構や結合機構は、必要により対向する相互構成を入換構成することも可能である。さらに、レンズ調整機構部Ｍに、カム筒部５の回動角度範囲Ｚｃを規制する回動範囲規制部２６を設ける場合を示したが、他の部位、例えば、操作リング２の回動角度範囲を規制する構成など、他の部位に付属させた構成であってもよい。
【産業上の利用可能性】
【００５１】
本発明は、操作リングの回動操作により調整対象となるレンズを光軸方向へ変位させるレンズ調整機構部を備えるスチルカメラ，ビデオカメラ，プロジェクタ等の各種光学機器に装着するレンズ装置として利用できる。
【符号の説明】
【００５２】
１：レンズ装置，２：操作リング，３：第一運動変換機構部，４：第二運動変換機構部，５：カム筒部，１１：固定筒，１１ｆ：固定筒の外周面，１２：第一内筒部，１２ｉ：第一内筒部の内周面，１３：第一ヘリコイド結合部，１４：第二内筒部，１４ｆ：第二内筒部の外周面，１５…：ガイドスリット部，１６…：従動子，２１：アウタ筒部，２２：インナ筒部，２３：中間筒部，２４：第二ヘリコイド結合部，２５：補助レンズ調整機構部，２６：回動範囲規制部，Ｃ：レンズ鏡筒，Ｌ１：レンズ，Ｌ２：レンズ，Ｌ３：レンズ，Ｆｃ：光軸方向，Ｆｆ：周方向，Ｚｓ：回動角度範囲，Ｚｃ：回動角度範囲，Ｍ：レンズ調整機構部，Ｍｆ：フォーカス調整機構，Ｑｓ：所定角度
【図１】
2020086057.tif 000003
【図２】
2020086057.tif 000004
【図３】
2020086057.tif 000005
【図４】
2020086057.tif 000006
【図５】
2020086057.tif 000007
【図６】
2020086057.tif 000008
【図７】
2020086057.tif 000009